【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
アプリケーション・サーバを通じてネットワーク・デバイスと通信する複数のワイヤレス移動体加入者を有するワイヤレス通信システムにおける前記アプリケーション・サーバと前記移動体加入者との間でのワイヤレス・トランザクションの回数を削減する方法であって、
前記移動体加入者の各々に、軽量クライアントを設けるステップと、
前記アプリケーション・サーバ上に、移動体加入者毎にエリアスを設けるステップと、
移動体加入者とネットワーク・デバイスとの間のセッション毎に、
（ａ）所与のプロトコルにしたがって、前記移動体加入者に備わるクライアントにおいて処理することを意図する前記ネットワーク・デバイスからの通信を、前記アプリケーション・サーバで受信するステップと、
（ｂ）前記軽量クライアントが実行する処理、および前記移動体加入者と前記アプリケーション・サーバとの間におけるワイヤレス・トランザクションの回数を削減するために、前記移動体加入者の軽量クライアントと前記アプリケーション・サーバ上の前記移動体加入者毎のエリアスとの間において、前記通信の処理を分散させるステップと、
を備えている、方法。
【請求項２】
請求項１記載の方法において、前記ワイヤレス通信システムは３Ｇネットワークである、方法。
【請求項３】
請求項１記載の方法において、前記プロトコルは、セッション開始プロトコルである、方法。  
【請求項４】
請求項１記載の方法において、前記プロトコルはＨ．３２３プロトコルである、方法。
【請求項５】
請求項１記載の方法において、前記ネットワーク・デバイスは、ネットワーク・サーバまたはメディア・サーバを含む、方法。
【請求項６】
請求項１記載の方法において、前記移動体加入者は、セルラ・フォン、パーソナル・ディジタル・アシスタント、またはモバイル・パーソナル・コンピュータを含む、方法。
【請求項７】
請求項１記載の方法において、前記移動体加入者の各々に軽量クライアントを設けるステップは、各前記移動体加入者において前記システムから前記軽量クライアントをダウンロードすることを含む、方法。
【請求項８】
請求項１記載の方法において、前記ネットワーク・デバイスは、前記移動体加入者に、前記セッションにおいてアプリケーションまたはサービスへのアクセスを提供し、前記アプリケーションまたはサービスは、インスタント・メッセージング、プッシュ・ツー・トーク・サービス、インタラクティブ・ゲーム、音楽ストリーミング、ビデオ・ストリーミング、音声会議、ビデオ会議、またはウェブ会議を含む、方法。
【請求項９】
ワイヤレス通信システムであって、
アプリケーション・サーバと、
前記アプリケーション・サーバを通じて、ネットワーク内においてデバイスと通信する複数のワイヤレス移動体加入者と、
を備えており、
前記移動体加入者の各々は、軽量クライアントを含み、前記アプリケーション・サーバは、移動体加入者毎にエリアスを含み、
移動体加入者とネットワーク・デバイスとの間におけるセッション毎に、前記アプリケーション・サーバが、所与のプロトコルにしたがって、前記移動体加入者に備わるクライアントで処理することを意図する前記ネットワーク・デバイスからの通信を受信し、前記軽量クライアントが実行する処理、および前記移動体加入者と前記アプリケーション・サーバとの間におけるワイヤレス・トランザクションの回数を削減するために、前記移動体加入者の軽量クライアントと前記アプリケーション・サーバ上の前記移動体加入者毎のエリアスとの間において、前記通信の処理を分散させる、ワイヤレス通信システム。
【請求項１０】
請求項９記載のシステムにおいて前記ワイヤレス通信システムは３Ｇネットワークである、システム。
【請求項１１】
請求項９記載のシステムにおいて、前記プロトコルは、セッション開始プロトコルである、システム。  
【請求項１２】
請求項９記載のシステムにおいて、前記プロトコルはＨ．３２３プロトコルである、システム。
【請求項１３】
請求項９記載のシステムにおいて、前記ネットワーク・デバイスは、ネットワーク・サーバまたはメディア・サーバを含む、システム。
【請求項１４】
請求項９記載のシステムにおいて、前記移動体加入者は、セルラ・フォン、パーソナル・ディジタル・アシスタント、またはモバイル・パーソナル・コンピュータを含む、システム。
【請求項１５】
請求項９記載のシステムにおいて、前記移動体加入者の各々において前記軽量クライアントをダウンロードする、システム。
【請求項１６】
請求項９記載のシステムにおいて、前記ネットワーク・デバイスは、前記移動体加入者に、前記セッションにおいてアプリケーションまたはサービスへのアクセスを提供し、前記アプリケーションまたはサービスは、インスタント・メッセージング、プッシュ・ツー・トーク・サービス、インタラクティブ・ゲーム、音楽ストリーミング、ビデオ・ストリーミング、音声会議、ビデオ会議、またはウェブ会議を含む、システム。
【請求項１７】
アプリケーション・サーバを通じてネットワーク・デバイスと通信する複数のワイヤレス移動体加入者を有するワイヤレス通信システム内の前記アプリケーション・サーバにおいて、移動体加入者とネットワーク・デバイスとの間の各セッションに対して、前記アプリケーション・サーバと前記移動体加入者との間におけるワイヤレス・トランザクションの回数を削減する方法であって、
（ａ）所与のプロトコルにしたがって、前記移動体加入者に備わるクライアントで処理することを意図する前記ネットワーク・デバイスからの通信を、前記アプリケーション・サーバで受信するステップと、
（ｂ）前記移動体加入者が実行する処理、および前記移動体加入者と前記アプリケーション・サーバとの間におけるワイヤレス・トランザクションの回数を削減するために、前記移動体加入者のクライアントと前記アプリケーション・サーバ上の移動体加入者毎のエリアスとの間において、終点プロトコル機能性を分散させるように、前記移動体加入者毎のエリアスを用いて、前記通信の一部を前記アプリケーション・サーバで処理し、前記移動体加入者と協同するステップと、
を備えている、方法。
【請求項１８】
請求項１７記載の方法において、前記ワイヤレス通信システムは３Ｇネットワークである、方法。
【請求項１９】
請求項１７記載の方法において、前記プロトコルは、セッション開始プロトコルである、方法。  
【請求項２０】
請求項１７記載の方法において、前記プロトコルはＨ．３２３プロトコルである、方法。
【請求項２１】
請求項１７記載の方法において、前記ネットワーク・デバイスは、ネットワーク・サーバまたはメディア・サーバを含む、方法。
【請求項２２】
請求項１７記載の方法において、前記移動体加入者は、セルラ・フォン、パーソナル・ディジタル・アシスタント、またはモバイル・パーソナル・コンピュータを含む、方法。
【請求項２３】
請求項１７記載の方法において、前記ネットワーク・デバイスは、前記移動体加入者に、前記セッションにおいてアプリケーションまたはサービスへのアクセスを提供し、前記アプリケーションまたは前記サービスは、インスタント・メッセージング、プッシュ・ツー・トーク・サービス、インタラクティブ・ゲーム、音楽ストリーミング、ビデオ・ストリーミング、音声会議、ビデオ会議、またはウェブ会議を含む、方法。